(57)【要約】      （修正有）【課題】長方形など四角形のサンドイッチやおにぎり等の食品を見栄えよく収納でき、密封性が高く、しかも開封しやすい食品包装用袋を提供することを目的とする。【解決手段】食品包装用袋１は、袋本体部材６とシート部材７を有し、開いた上辺部２と、閉じた左右側辺部３と、閉じた下辺部４を有する袋体であり、下辺部において下辺に沿った折り込み線で内側に折り込まれた折り込み部５があり、袋本体部材の第１面側の上端線が第２面の上端線２より低い位置にあり、第１面側において矩形状のシート部材が接続されており、袋本体部材の第１面の上端部とシート部材７の下端部の重なり部１２があり、この重なり部には、袋本体部材の第１面とシート部材が接続された接続部１３と、接続されていない非接続部１４が形成されていている。【選択図】図１
2020040673.tif 000002
【特許請求の範囲】
【請求項１】
袋本体部材とシート部材を有する食品包装用袋であり、
開いた上辺と、閉じた左右側辺と、閉じた下辺を有する袋体であり、
下辺部において下辺に沿った折り込み線で内側に折り込まれた折り込み部があり、
袋本体部材の第１面側の上端線が第２面の上端線より低い位置にあり、
第１面側において矩形状のシート部材が接続されており、
袋本体部材の第１面の上端部とシート部材の下端部の重なり部があり、
この重なり部には、袋本体部材の第１面とシート部材が接続された接続部と、接続されていない非接続部が形成されていて、
シート部材の上端線は袋本体部材の第２面側の上端線と概ね同じ高さである食品包装用袋。
【請求項２】
シート部材の下端部が袋本体部材の第１面の上端部の外側に重ねられ、シート部材の最下端に沿って非接続部が形成されている請求項１に記載の食品包装用袋。
【請求項３】
折り込み部の左右端部において、４５度の角度で角取部が形成されている請求項１または請求項２に記載の食品包装用袋。
【発明の詳細な説明】
【技術分野】
【０００１】
この発明は、長方形状のサンドイッチやおにぎり等の食品を包装するためのプラスチックフィルム製の食品包装体に関する。
【背景技術】
【０００２】
サンドイッチは、長方形の食パンを対角線で切断して作られる直角三角形状のものが多く、プラスチックフィルムで作られた包装袋で包装されて、パン屋やコンビニエンスストアで盛んに販売されている。直角三角形の形状をしたサンドイッチは、プラスチックフィルムでできた包装袋に収納され、店頭に陳列されている。
【０００３】
一方、長方形の食パンを辺と概ね平行に切断した略長方形状のサンドイッチについては、フィルムでできた袋はほとんど使用されない。通常は、ポリエチレンテレフタレート（ＰＥＴ）性の箱容器に収納されるか、特許文献１のように紙製の箱容器に収納され、粘着テープなどで封じられている。また、複数のおにぎりと惣菜をセットにした軽食などもプラスチックの箱容器に弁当として収納されている。
【先行技術文献】
【特許文献】
【０００４】
【特許文献１】特開２０１８−７９９８０号公報
【発明の概要】
【発明が解決しようとする課題】
【０００５】
四角形のサンドイッチ用の容器として主に使用されている箱状の容器は、素材としてポリエチレンテレフタレートを使用しているが、これは廃棄物としては可燃物として取り扱われないため、使用後には別途分別して処分しなければならず、面倒である。また、このようなプラスチックの箱容器や、特許文献１のような紙製箱容器は、密封性が低く、食品を収納して店頭に陳列している間に、虫などの異物が侵入しやすく、また、食品の鮮度の低下も早く進行する。さらに、これらの容器は、粘着テープなどで閉じられるため、開封時にはその粘着テープを剥がす作業が必要となり、面倒である。複数のおにぎりと惣菜をセットにした軽食などを収納するプラスチックの箱容器も同様である。また、紙製箱容器の場合、内部の食品を外部から見ることができない。
【０００６】
この発明は、長方形など四角形のサンドイッチやおにぎり等の食品を見栄えよく収納でき、密封性が高く、しかも開封しやすいサンドイッチ包装用袋を提供することを目的とする。
【課題を解決するための手段】
【０００７】
上記の課題を解決するために、この発明の食品包装用袋は、袋本体部材とシート部材を有し、
開いた上辺部と、閉じた左右側辺部と、閉じた下辺部を有する袋体であり、
下辺部において下辺に沿った折り込み線で内側に折り込まれた折り込み部があり、
袋本体部材の第１面側の上端線が第２面の上端線より低い位置にあり、
第１面側において矩形状のシート部材が接続されており、
袋本体部材の第１面の上端部とシート部材の下端部の重なり部があり、
この重なり部には、袋本体部材の第１面とシート部材が接続された接続部と、接続されていない非接続部が形成されていている。
そして、シート部材の下端部が袋本体部材の第１面の上端部の外側に重ねられ、シート部材の最下端に沿って非接続部が形成されることが好ましく、さらに、折り込み部の左右端部において、４５度の角度で角取部が形成されていることが好ましい。
【発明の効果】
【０００８】
この発明の食品包装用袋は、四角形のサンドイッチやおにぎり等の食品を美しく包装でき、密封性が高く、しかも開封しやすい。使用後には、通常の可燃ごみとして廃棄することができる。
【図面の簡単な説明】
【０００９】
【図１】サンドイッチ包装用袋（食品包装用袋）の例を示す斜視図である。
【図２】同正面図である。
【図３】同Ａ−Ａ断面図である。
【図４】袋本体部材を示す正面図である。
【図５】同Ｂ−Ｂ断面図である。
【図６】シート部材を示す正面図である。
【図７】重なり部付近の詳細を示す拡大断面図である。
【図８】包装サンドイッチを示す斜視図である。
【図９】包装サンドイッチの開封を示す斜視図である。
【発明を実施するための形態】
【００１０】
本発明を実施するための形態について、図面に基づいて詳細に説明する。図１はサンドイッチ包装用袋の例を示す斜視図、図２は同正面図、図３は同Ａ−Ａ断面図である。
【００１１】
食品包装用袋１は、開いた上辺２と、閉じた左右側辺３と、閉じた下辺４を有する袋体であり、下辺部において下辺４に沿った折り込み線で内側に折り込まれた折り込み部５がある。食品包装用袋１は、袋本体部材６とシート部材７との組み合わせにより形成されている。袋本体部材６とシート部材７はともに食品包装用の薄いプラスチックフィルムであり、たとえば二軸延伸ポリプロピレンなど、可燃ごみとして処分できるような素材が使用される。
【００１２】
図４は袋本体部材を示す正面図、図５は同Ｂ−Ｂ断面図である。袋本体部材６は食品包装用袋１の主要部を成す概ね袋状の部材であり、食品包装用袋１の第２面９、折り込み部５および第１面８の下部を含む。袋本体部材６の第１面側の上端線１０が第２面の上端線２より低い位置にある。すなわち、袋体として見たときに、第１面８の上部が開いた状態である。
【００１３】
下辺部の折り込み部５は、下辺４に沿った折り込み線およびこれに沿った奥側折り込み線１１によりマチを形成するようにフィルムが内側に折り込まれたガゼット折りになっている。そして、この折り込みの深さＤは、長方形のサンドイッチ用の場合では、収納されるサンドイッチの厚さの２分の１に対応する。この折り込み部５は図４の点線で示すように長方形状に形成してもよいが、本例では実線で示すように、端部を４５度の角度で切り込んでいる。すなわち、折り込み部５の深部から４５度の角度で内向きに角取りした形状に仕上げている。これにより、後述する通り、箱状にしたときに角部が角状に飛び出ることなく、美しい包装体を得ることができる。
【００１４】
図６はシート部材を示す正面図である。シート部材７は平坦な１枚の長方形状シートである。その幅は袋本体部材６の幅と同じである。また、シート部材７の高さ方向の長さは袋本体部材６の第１面上端から第２面上端の間の長さに加えて、袋本体部材６の第１面と重なり部１２を形成できるだけの長さを有する。したがって、その寸法は収容物の形状に合わせて適宜選択すればよいが、たとえば、長辺が５０ｍｍ以上４００ｍｍ以下、短辺が４０ｍｍ以上３００ｍｍ以下で選択してもよい。
【００１５】
本例では、袋本体部材６の第１面側の上端線１０は下辺４に近い位置にある。すなわち、折り込み部５の深部から重なり部を形成できるだけの長さだけ上側になる。そして、シート部材７が袋本体部材６の上に、つまり袋体の外側になるように重ねられる。
【００１６】
図７は重なり部付近の詳細を示す拡大断面図である。この重なり部１２において、全幅に渡って接続部１３が形成される。この接続部では、開封するための引き剥がし力が加わったときに簡単に剥離するような易開封性の接続が好ましい。本例ではパートコート剤による熱圧着で接続部を形成している。
【００１７】
重なり部１２の大部分は接続部１３であるが、さらに、重なり部１２には袋本体部材６の第１面８とシート部材７が接続されていない非接続部１４も形成されている。重なり部１２において上側のシートの先端部に非接続部１４が形成される。本例ではシート部材７が上にあるので、シート部材７の下端部に沿って非接続部１４が形成されている。この非接続部１４の縦方向の長さは、開封時に指先で摘まめる程度に設定するのがよい。また、シート部材７の下端部には亀裂の開始を誘引する亀裂開始誘引処理を施してもよい。特に微細な孔を連続的に設ける亀裂開始誘引処理を施すことが好ましい。
【００１８】
袋本体部材６は両側辺において、第１面側のシートと第２面側のシートが接続されている。また、シート部材７も両側辺に沿って袋本体部材２の両側辺と接続されている。こうして、食品包装用袋１は上辺のみが開いた袋状に形成される。この両側部における接続は、溶断により行うことができる。袋本体部材６およびシート部材７の基となる原反を重ね合わせ、熱により両側部を切断することによって、この切断部では重なり合ったシート同士が接続される。なお、袋本体部材２の外側の面には熱溶着を妨げる処理、たとえばシリコンコーティング処理などを行っており、折り込み部５の両端を角取りしても、この部分において、折り込まれた層と外側の層のシート同士のみが接続され、折り込まれた層同士では接続されない。
【００１９】
次に、食品包装用袋の使用方法および得られる包装食品について説明する。ここでは、図１に示す特にサンドイッチ包装用に適したサンドイッチ包装用袋を使用して、包装サンドイッチを作る例で説明する。折り込み部５を開くことによって、この部分を底面とする箱の形状になる。上部の開口からサンドイッチを入れる。サンドイッチの向きは任意であるが、本例ではサンドイッチの切断面を上向きにして入れている。
【００２０】
サンドイッチ包装用袋１（食品包装用袋）の上部の余った部分を閉じ合せ、第２面に沿って巻き受ける。そして、この閉じ合せ部の先端を粘着テープや消費表示シールなどで底面に貼り付けて固定する。こうして、包装サンドイッチが得られる。
【００２１】
図８は包装サンドイッチを示す斜視図である。透明なサンドイッチ包装用袋１はサンドイッチｘの外形に沿って包装体を形成する。袋体の中にサンドイッチを入れて、入り口を閉じるため、密封性が高く、店頭の陳列ケースに置いていても、虫などの異物が侵入しにくい。外気の出入りも少なく、サンドイッチの鮮度を保ったまま、長期間保存することができる。サンドイッチ包装用袋１は透明であるため、内部のサンドイッチｘを外部から観察できる。本例のようにサンドイッチｘの切断面を上向きにすることによって、サンドイッチｘの具材も観察できる。
【００２２】
第１面８の側にはサンドイッチ包装用袋１の上部の閉じた部分が巻き着いていない。この第１の面には、袋本体部材６とシート部材７の重なり部１２が表れる。本例では、第１面８の下部に非接続部１４が下向きに開いた状態で表れている。開封するときは、この非接続部１４を指先で摘まみ、袋本体部材６とシート部材７との接続を引き剥がす。
【００２３】
包装サンドイッチ２０の開封について説明する。図９は包装サンドイッチの開封状態を示す斜視図である。接続部１３は易開封性であるので接続は簡単に引き剥がすことができ、破れることなく袋本体部材６とシート部材７がきれいに分離する。サンドイッチｘの側面がほとんど露出するほど大きな開口が得られ、内部のサンドイッチｘを簡単に取り出すことができる。したがって、底面に貼り付けられた粘着シールや商品表示シールを剥がすような面倒な作業は不要である。
【００２４】
非接続部１４に微細孔を連続に設ける亀裂誘引処理を施すことによって、任意の位置に任意の大きさの開口を形成することもできる。シート部材７を部分的に剥離させることによって、小さめの開口を行うことにより、内部のサンドイッチｘが飛び出すことを防止できる。
【００２５】
サンドイッチｘを食べ終わったら、残ったサンドイッチ包装用袋は廃棄処分できる。二軸延伸ポリプロピレンなど可燃ゴミとして廃棄できる素材を使用しているので、分別は不要である。
【００２６】
この発明の食品包装用袋は、サンドイッチ以外の食品についても使用できる。これまでに箱状の容器に収容されていたような食品などにも適している。たとえば、三角おにぎりを２個または３個立てた状態で並べて入れ、さらに漬物や唐揚げなどの総菜も入れ、おにぎり弁当とすることもできる。上部の閉鎖は先述のサンドイッチの例と同様でよい。開封も包装サンドイッチと同様であり、非接続部１４を摘まんで、袋本体部材とシート部材の接続部１３を剥がす。こうして、簡単に大きな取り出し口を形成することができ、内部のおにぎりなどの食品を容易に取り出して食べることができる。
【符号の説明】
【００２７】
１．サンドイッチ包装用袋（食品包装用袋）
２．上辺
３．側辺
４．下辺
５．折り込み部
６．袋本体部材
７．シート部材
８．第１面
９．第２面
１０．第１面上端
１１．奥側折り畳み線
１２．重なり部
１３．接続部
１４．非接続部
２０．包装サンドイッチ
ｘ．サンドイッチ
【図１】
2020040673.tif 000003
【図２】
2020040673.tif 000004
【図３】
2020040673.tif 000005
【図４】
2020040673.tif 000006
【図５】
2020040673.tif 000007
【図６】
2020040673.tif 000008
【図７】
2020040673.tif 000009
【図８】
2020040673.tif 000010
【図９】
2020040673.tif 000011